(57)【特許請求の範囲】
【請求項１】
遊技媒体を遊技者側に排出する排出通路を備えた遊技機において、
前記排出通路の遊技媒体通路側を被覆する耐熱性かつ熱によって電気特定が変化する耐熱性部材と、
上記耐熱性部材の所定箇所の電気特性を検出する電気特性検出手段と、
該電気特性検出手段が所定の電気特性を検出した場合に、電気特性変化信号を出力する変化信号出力手段と
を備えることを特徴とする遊技機。
【請求項２】
上記排出通路が自己消火性樹脂で構成されていることを特徴とする請求項１記載の遊技機。
【請求項３】
上記自己消火性樹脂が難燃剤を添加されていることを特徴とする請求項２記載の遊技機。
【請求項４】
上記耐熱性部材の上記遊技媒体が排出される側の面に金属、又は磁器皮膜を形成したことを特徴とする請求項１ないし請求項３記載の遊技機。
【請求項５】
上記電気特性検出手段が上記耐熱性部材の電気抵抗に基づく値を検出することを特徴とする請求項１ないし請求項４記載の遊技機。
【請求項６】
上記電気特性検出手段の入力、又は出力にローパスフィルタを介装したことを特徴とする請求項１ないし請求項５記載の遊技機。
【請求項７】
上記耐熱性部材に熱伝導可能に取り付けられると共に、先端が上記排出通路内に位置するように設置された熱伝導可能な突起部を備え、上記電気特性検出手段を上記突起部の近傍の上記耐熱性部材の電気特性を検出するとしたことを特徴とする請求項１ないし請求項６記載の遊技機。
【請求項８】
上記突起部が該突起部の近傍の耐熱性部材より熱伝導率が高いセラミックスで構成されていることを特徴とする請求項７記載の遊技機。
【請求項９】
上記突起部が上記耐熱性部材に形成された穴に挿入されて、該耐熱性部材に該突起部が固定されていることを特徴とする請求項７、又は請求項８記載の遊技機。
【請求項１０】
上記突起部に形成された雄ねじと、上記雄ねじに螺合される雌ねじが形成された雌ねじ部材と、上記耐熱性部材に形成された穴とを加え、上記穴の遊技媒体が排出される側から上記突起部の雄ねじを該穴に挿入し、上記雌ねじ部材を上記雄ねじに螺合したことを特徴とする請求項７、又は請求項８記載の遊技機。
【請求項１１】
上記突起部と、上記耐熱性部材との境界の該突起部側、又は該耐熱性部材側に形成された溝と、上記溝に挿入され、上記電気特性検出手段に接続される電極部材とを備えたことを特徴とする請求項９、又は請求項１０記載の遊技機。
【請求項１２】
上記耐熱性部材の上記遊技媒体が排出されない側に形成した穴と、該穴に挿入する栓と、上記耐熱性部材と上記栓との境界の該耐熱性部材側、又は該栓側に形成された溝と、上記溝に挿入され、上記電気特性検出手段に接続される電極部材とを備えたことを特徴とする請求項１ないし請求項１０記載の遊技機。
【請求項１３】
上記電極部材がインコネルを成型したものである請求項１１、又は請求項１２記載の遊技機。
【発明の詳細な説明】
【０００１】
【発明の属する技術分野】
本発明は、パチンコ機やパチスロ機などの遊技を提供する遊技機の構造に関する。
【０００２】
【発明が解決しようとする課題】
従来、遊技機は、パチンコ玉やメダル、コインなどの遊技媒体を遊技者に賞品として提供する排出通路を備えている。この排出通路は、遊技機の内部に備えられている遊技媒体払出機構と、遊技者の手元の遊技媒体受け皿との間を連絡する。これにより、遊技の結果、賞品として遊技機から払い出された遊技媒体が、遊技機から排出されて、遊技者の手元に提供される。このため、遊技機の排出通路は、遊技機の内部の遊技媒体払出機構から排出された遊技媒体が、遊技者の手元の遊技媒体受け皿に排出されるまでに詰まったり、止まったりすることなく円滑に供給されなければならず、遊技媒体のスムースな流れを達成する形状にするため、成型加工が容易なプラスチックの成型品が用いられている。
【０００３】
ところで、遊技機は、遊技の結果、景品を提供するものであるため、遊技者が遊技に負けた場合には、期待した遊技媒体を手に入れることが出来ず、遊技者の気分を害することがある。この様に遊技に負けた遊技者の中に、希に遊技機に八つ当たりをして、ティッシュペーパを遊技媒体受け皿から排出通路に突っ込んで、ティッシュペーパに火を付け、立ち去るものがいる。
【０００４】
この様に遊技機に放火されると、排出通路のプラスチックが焦げて変形したり、引火して、遊技機が使用不能になる場合があり、甚大な被害を被ることがある。
また、遊技機に被害が発生してから放火犯を特定しようとしても、既に遊技場から立ち去った後であり、再放火を防止することも難しい。
【０００５】
そこで、本発明では、放火に対する耐性の高い遊技機を提供するとともに、甚大な被害を被る前に、放火されたことを報知して、被害を未然に防ぎ、かつ放火犯の特定を可能にすることを目的にする。
【０００６】
【課題を解決するための手段】
上記課題を解決するための手段として、請求項１の発明の遊技機は、遊技媒体を遊技者側に排出する排出通路を備えた遊技機において、前記排出通路の遊技媒体通路側を被覆する耐熱性かつ熱によって電気特定が変化する耐熱性部材と、上記耐熱性部材の所定箇所の電気特性を検出する電気特性検出手段と、該電気特性検出手段が所定の電気特性を検出した場合に、電気特性変化信号を出力する変化信号出力手段とを備えることを要旨とする。
【０００７】
これにより、排出通路に放火が行われたとしても、排出通路の遊技媒体通路側を被覆する耐熱性部材が排出通路に伝達する熱を遮弊する。又、炎が直接排出通路に触れることを防止する。これにより、排出通路が熱によって損傷を受けることと、排出通路への引火が防止される。
【０００８】
耐熱性部材としては、ジルコン磁器、コージライト磁器、ムライト磁器、ガラスセラミックス等の耐熱性セラミックスが用いられる。これらの耐熱性セラミックスは、温度が変化すると電気特性の導電率が変化する性質を備えている。
【０００９】
このため、放火の炎によって、耐熱性部材の温度が上昇すると、耐熱性部材の電気特性が変化し、例えば導電率の低下、或いは増加が起こり、この電気特性の変化が電気特性検出手段で検出され、変化信号出力手段で、電気特性変化信号として出力される。
【００１０】
従って、放火が行われたことが、電気特性変化信号によって、報知される。
これにより、電気特性変化信号を、例えば遊技場を統合管理するホールコンピュータに入力して、このホールコンピュータによって、遊技場の画像を記録するビデオ監視システムに、電気特性変化信号を出力した遊技機の近傍の画像を記録させたり、遊技場のスタッフに連絡を取って、電気特性変化信号を出力した遊技機の点検に向かわせたりする使用方法が可能になる。
【００１１】
この結果、放火の被害を最小限に止めつつ、放火が行われたことを速やかに報知でき、甚大な被害を被る前に、放火されたことを報知して、被害を未然に防ぐことができ、かつ放火犯の特定を可能にすることが出来、放火に対する耐性の高い遊技機を提供するという極めて優れた効果を奏する。
【００１２】
請求項２の発明の遊技機は、上記排出通路が自己消火性樹脂で構成されていることを特徴とする請求項１記載の遊技機を備えることを要旨とする。これにより、排出通路に引火し難くなる。この結果、所定の耐火性を維持したままで、耐熱性部材が覆う範囲を少なくしたり、耐熱性部材の厚さを薄くしたり、耐火性の低い耐熱性部材を用いることが可能になる。
【００１３】
従って、部品数の低減、工数の低減、小型化を図ることが可能になると言う極めて優れた効果を奏する。
請求項３の発明の遊技機は、上記自己消火性樹脂が難燃剤を添加されていることを特徴とする請求項２記載の遊技機を備えることを要旨とする。
【００１４】
これにより、排出通路の耐火性が向上される。
難燃剤を添加した自己消火性樹脂としては、汎用樹脂（ＰＥ、ＰＰ、ＰＳ、ＰＶＣ、ＡＢＳ樹脂）に有機系（リン系、ハロゲン系、塩素系）、又は無機系（水酸化アルミニュウム、水酸化マグネシュウム、アンチモン系）難燃剤を添加したものが用いられる。
【００１５】
請求項４の発明の遊技機は、上記耐熱性部材の上記遊技媒体が排出される側の面に金属、又は磁器皮膜を形成したことを特徴とする請求項１ないし請求項３記載の遊技機を備えることを要旨とする。これにより、耐熱性部材の耐衝撃性が向上され、遊技媒体の衝突による破損が防止される。又、所定の耐衝撃性を維持したままで、耐衝撃性の低い材質の耐熱性部材を用いることが可能になる。
【００１６】
この結果、耐熱性部材の材質の選択範囲が広がり、より加工や製造が容易な材質の耐熱性部材を選択することが可能になるという極めて優れた効果を奏する。金属皮膜としては、硬質クロムメッキが用いられる。磁器皮膜としては、アルミナ（Ａｌ2Ｏ3）、スピネル（ＭｇＯ＋Ａｌ2Ｏ3）を溶射したものが用いられる。なお、磁器皮膜の溶射は、自動車の排気用の酸素センサの製造時に慣用されている。
【００１７】
請求項５の発明の遊技機は、上記電気特性検出手段が上記耐熱性部材の電気抵抗に基づく値を検出することを特徴とする請求項１ないし請求項４記載の遊技機を備えることを要旨とする。これにより、耐熱性部材の所定の２点間の抵抗値を検出したり、電位差を検出したりすることにより、耐熱性部材に加えられている放火が検出される。ここでは、例えば温度によって、大きく導電率が増加、又は減少するセラミックスを用いることで、電気特性検出手段の低利得化や高Ｓ／Ｎ比を図ることが出来、部品点数の低減や安価な部品の選択が可能になると言う極めて優れた効果を奏する。
【００１８】
請求項６の発明の遊技機は、上記電気特性検出手段の入力、又は出力にローパスフィルタを介装したことを特徴とする請求項１ないし請求項５記載の遊技機を備えることを要旨とする。
これにより、ノイズなどの外来成分を除いた定常成分のみを通すことができ、電気特性検出手段の入力から例えば電気抵抗に基づく電圧値や電流値分のみを抽出することが出来る。或いは、電気特性検出手段の出力を例えば電気抵抗に基づく電圧値や電流値分のみにすることが出来る。
【００１９】
この結果、ハイインピーダンスの耐熱性部材の電気特性を検出したときに、混入され易いノイズ成分を除いて、温度に応じて変化した電気特性のみを抽出することが出来、温度変化に伴う電気特性の変化の検出精度と信頼性とを向上することが出来る。
【００２０】
請求項７の発明の遊技機は、上記セラミックス部材に熱伝導可能に取り付けられると共に、先端が上記排出通路内に位置するように設置された熱伝導可能な突起部を備え、上記電気特性検出手段を上記突起部の近傍の上記耐熱性部材の電気特性を検出することを要旨とする。
【００２１】
これにより、突起部が放火の炎に、周囲の排出通路より多く晒され、放火によって炎が発生すると、すぐに突起部の温度が上昇し、この上昇によって、突起部の近傍の温度も上昇する。この温度の上昇が電気特性検出手段によって検出される。
【００２２】
この結果、電気特性を検出する部位の温度上昇を促進することが出来るため、放火の炎の検出感度が向上される。請求項８の発明の遊技機は、上記突起部が該突起部の近傍の耐熱性部材より熱伝導率が高いセラミックスで構成されていることを特徴とする請求項７記載の遊技機を備えることを要旨とする。
【００２３】
これにより、突起部以外の耐熱性部材は、炎の熱を良く遮断して、排出通路に炎の影響が加えられないようにし、突起部は、炎によって温度が上昇すると、突起部の近傍に直ぐに熱を伝導して、電気特性検出手段によって、その温度上昇が検出されるように動作する。熱伝導性の高いセラミックスとしては、アルミナが用いられる。
【００２４】
この結果、炎による熱の防御能力の向上と、炎の検出感度とを揃って向上することが出来る。請求項９の発明の遊技機は、上記突起部が上記耐熱性部材に形成された穴に挿入されて、該耐熱性部材に該突起部が固定されていることを特徴とする請求項７、又は請求項８記載の遊技機を備えることを要旨とする。
【００２５】
これにより、耐熱性部材と、突起部とを別体で製造して組み立てると言う製造方法が可能になり、それぞれの材質をそれぞれ適切なものにすることが出来る。例えば、耐熱性部材は、断熱性が良好で、温度による電気特性の変化が大きい材質を使用し、突起部は、耐衝撃性が高く、かつ熱伝導性の高い材質を使用するといった使い方が出来る。
【００２６】
請求項１０の発明の遊技機は、上記突起部に形成された雄ねじと、上記雄ねじに螺合される雌ねじが形成された雌ねじ部材と、上記耐熱性部材に形成された穴とを加え、上記穴の遊技媒体が排出される側から上記突起部の雄ねじを該穴に挿入し、上記雌ねじ部材を上記雄ねじに螺合したことを特徴とする請求項７、又は請求項８記載の遊技機を備えることを要旨とする。
【００２７】
これにより、耐熱性部材と、突起部とを別体で製造して組み立てる場合に、螺子止めだけで組み立てが完了すると言う製造方法が可能になり、それぞれの材質をそれぞれ適切なものにした上で、組立工数を低減することが出来ると言う極めて優れた効果を奏する。
【００２８】
請求項１１の発明の遊技機は、上記突起部と、上記耐熱性部材との境界の該突起部側、又は該耐熱性部材側に形成された溝と、上記溝に挿入され、上記電気特性検出手段に接続される電極部材とを備えたことを特徴とする請求項９、又は請求項１０記載の遊技機を備えることを要旨とする。
【００２９】
これにより、突起部、又は耐熱性部材に形成された溝に電極部材を挿入し、突起部を耐熱性部材の穴に挿入して固定するだけで、突起部と耐熱性部材との組み立てが完了されるとともに、突起部近傍の耐熱性部材の電気特性を検出する電極部材の取付も完了される。
【００３０】
この結果、突起部と、耐熱性部材と、電極部材との組立工数が低減されるとともに、電極部材が突起部と耐熱性部材との境界の電気特性の検出位置に確実に配設され、電極部材の検出位置合わせの工数が低減される。請求項１２の発明の遊技機は、上記耐熱性部材の上記遊技媒体が排出されない側に形成した穴と、該穴に挿入する栓と、上記耐熱性部材と上記栓との境界の該耐熱性部材側、又は該栓側に形成された溝と、上記溝に挿入され、上記電気特性検出手段に接続される電極部材とを備えたことを特徴とする請求項１ないし請求項１０記載の遊技機を備えることを要旨とする。
【００３１】
これにより、栓、又は耐熱性部材に形成された溝に電極部材を挿入し、栓を耐熱性部材の穴に挿入して固定するだけで、耐熱性部材の電気特性を検出する電極部材の取付が完了される。この結果、電極部材の組立工数が低減されるとともに、電極部材が耐熱性部材の温度が上昇する位置に確実に配設され、電極部材の検出位置合わせの工数が低減される。
【００３２】
請求項１３の発明の遊技機は、上記電極部材がインコネルを成型したものである請求項１１、又は請求項１２記載の遊技機を備えることを要旨とする。これにより、例えば時効硬化するインコネル７５０、７１８（インコ社商品名）によって電極部材が作られることにより、硬化前は、電極部材の製造、及び電気特性検出手段との接続が容易に行え、時効硬化後は、放火が行われて加熱されても電極部材と耐熱性部材との間の接続状態が保持される。
【００３３】
この結果、放火が行われても電気特性の検出機能を維持することが出来ると言う極めて優れた効果を奏する。
【００３４】
【発明の実施の形態】
次に発明の実施の形態を説明する。
図１は、遊技機としてのパチンコ機１の排出通路３の一部分を破断した端面の端面図、図２は、パチンコ機１の正面図、図３は、排出通路３の構造の説明図、図４は、電気特性検出手段としての放火信号出力回路５のブロック図、図５は、排出通路３の動作の説明図である。
【００３５】
パチンコ機１は、図２に示すように、パチンコ遊技を提供する遊技盤７と、パチンコ遊技の結果の賞品球を払い出す賞球払出機構９と、遊技媒体受け皿としての上皿１１と、下皿１３と、賞球払出機構９が払い出した賞品球１７を上皿１１と下皿１３とに排出する排出通路３と、放火信号出力回路５と、突起部としてのアルミナボルト１５とを備えている。アルミナボルト１５は、熱伝導率が高く、かつ高い強度を有するアルミナ（Ａｌ2Ｏ3）製である。
【００３６】
排出通路３は、図３に示すように、賞球払出機構９と、上皿１１及び下皿１３との間を連絡する賞品球１７の通路であって、賞球払出機構９から払い出された賞品球１７を上皿１１に導く上皿排出通路２１と、上皿排出通路２１から溢れた賞品球１７を下皿１３に導く下皿排出通路２３とから構成されている。
【００３７】
上皿排出通路２１は、αセルロース充填メラミン樹脂等の熱変形温度が高くかつ自己消火性の樹脂にハロゲン化合物を難燃剤として添加したプラスチックスを所定の通路形状に成型した成型品である。従って、賞品球１７に直接触れる部分２５から、その反対側の部分２７まで、同一の材質のプラスチックスで構成されているが、炎が直接長時間触れることがない場合には、所定の耐火性能を有している。これにより、上皿排出通路２１は、図５に示すように、下皿１３の奥の下皿排出通路２３にティッシュペーパ３１等で放火されたとしても、下皿排出通路２３を経由して伝わってきた熱気２９によっては、発火したり、変形したりすることはない。
【００３８】
下皿排出通路２３は、図３に示すように、上皿排出通路２１の溢流口３３から溢れ出た賞品球１７を、溢流通路３５を介して受け取って、下皿１３に導く形状に構成されている。
下皿排出通路２３および溢流通路３５は、通路形状を構成する構成部３７と、耐火機能を発揮する耐火部３９とから構成され、耐火部３９が賞品球１７に直接触れる部分側４１に配設され、構成部３７が耐火部３９とは反対の面４３に配設されている。
【００３９】
構成部３７と耐火部３９とは、図１に示すように、耐火部３９と構成部３７とが貼り付けられた構造を有する。
耐火部３９は、強度、使用温度、熱伝導率、熱膨張率の観点で好ましいガラスセラミックスを所定の形状に形成した耐火層４５と、この耐火層４５の賞品球１７に触れる側に耐衝撃性を付与するためにアルミナ（Ａｌ2Ｏ3）を溶射して形成した磁器皮膜層４７とから構成されている。
【００４０】
構成部３７は、αセルロース充填メラミン樹脂等の熱変形温度が高くかつ自己消火性の樹脂にハロゲン化合物を難燃剤として添加したプラスチックスを所定の通路形状に成型した成型品である。
この耐火部３９により、図５に示すように、下皿１３の奥の下皿排出通路２３にティッシュペーパ３１等で放火されたとしても、放火による熱が耐火部３９によって断熱され、プラスチック製の構成部３７まで達することが防止される。
【００４１】
この様に耐火機能を発揮する耐火部３９には、図１の（Ａ）に示すように、アルミナボルト１５の取付孔４９が形成されている。取付孔４９は、アルミナボルト１５のボルト軸部５５の外形ＯＤより僅かに大きい内径ＩＤに形成されている。又、取付孔４９の近傍の構成部３７は、開口されており、取付孔４９に取り付けられたアルミナボルト１５から構成部３７が熱の影響を受けることがないように離間されている。アルミナボルト１５のボルト頭は、算盤玉状に成型され、ボルト軸部５５には、螺子５９が成型されている。
【００４２】
ボルト軸部には、図１の（Ａ）、及びボルト円筒部５７の断面を示す（Ｂ）に示すような、２筋の溝５１、５３が軸方向に形成されている。溝５１と、溝５３とは、ボルト軸部５５の軸対称に形成されている。
アルミナボルト１５は、遊技媒体が排出される側としての賞品球１７に直接触れる部分側４１から取付孔４９に挿入され、図１の（Ａ）に示す状態にされる。この状態で、溝５１、５３に、電極部材としての電極６１、６３が挿入される。電極６１、６３は、Ｎｉを主成分とする耐食性の高い耐熱合金であるインコネル７１８、７５０製（インコ社商品名）であって、先端に、バネ接点部６５が形成され、基端に端子部６７が形成されている。バネ接点部６５は、図１に示すように溝５１、５３に挿入しやすくするために矢状に折り曲げた形状で、接点６９が耐火部３９に所定の力で付勢されるように弓状にされている。
【００４３】
端子部６７は、外部接続用の導線７５をカシメによって接続する端子形状に形成されている。
これらのバネ接点部６５と、端子部６７と有する電極６１、６３は、端子部６７を除いた部分が熱処理される。熱処理によって硬化したバネ接点部６５は、下皿排出通路２３に放火されたとしても、この放火によってバネとしての機能失うことはなく、接点６９と耐火部３９との間の接続が保持される。又、熱処理が行われなかった端子部６７は、硬化していないため、導線７５をカシメ処理で接続した後で、カシメ部が戻ってしまうようなことはない。
【００４４】
アルミナボルト１５の溝５１、５３に電極６１、６３を挿入後、図１に示すようなスプリングワッシャ７１を間に介装して、ナット７３をボルト軸部５５に螺合して、締め付ける。これにより、アルミナボルト１５を耐火部３９に固定する作業が完了する。スプリングワッシャ７１と、ナット７３とは、直接炎に晒されることがないことから、ステンレスが用いられる。耐火部３９に取り付けられたアルミナボルト１５のボルト頭は、賞品球１７の排出時に、賞品球１７が打ちつけられる毎に、鳴動して、遊技の興趣を向上する。
【００４５】
溝５１、５３に挿入することで、耐火部３９に接続状態になった、電極６１、６３は、導線７５によって、放火信号出力回路５に接続される。放火信号出力回路５は、図３に示すように、アルミナボルト１５の近傍の構成部３７上に取り付けられている。
【００４６】
これにより、下皿排出通路２３にアルミナボルト１５と、放火信号出力回路５とを予め組み合わせて構成した、組み合わせ部品として、予め組み立てを完了させておくことが可能になる。
放火信号出力回路５は、図４の（Ａ）に示すようにローパスフィルタ７７と、抵抗検出回路７９と、波形整形８１と、出力接点８３とを有している。
【００４７】
抵抗検出回路７９は、電極６１と、電極６３との間に電圧を加え、流れる電流の値を計測することによって、電極６１と、電極６３との間の電気抵抗値を検出し、検出した電気抵抗値に応じた出力電圧を出力する。ローパスフィルタ７７は、定常信号だけを通す目的で、遮断周波数が１（Ｈｚ）程度の特性を有し、導線７５を介して接続された電極６１、６３と、抵抗検出回路７９との間に介装され、電極６１、６３及び導線７５に誘導したノイズ信号を遮断して、抵抗検出回路７９に入力されることを防止する。
【００４８】
波形整形８１は、抵抗検出回路７９の出力電圧が所定の閾値を越えた場合に、出力が高レベルになり、所定の閾値以下の場合には、出力電圧が低レベルになる。所定の閾値は、設計により適宜変更される。
出力接点８３は、波形整形８１の出力が高レベルになると「オン」になり、低レベルになると「オフ」になる。出力接点８３には、出力コネクタ８５が接続されており、出力接点８３の状態がそのまま出力される。出力コネクタ８５には、遊技場の運営管理を行うホールコンピュータ８９への接続コネクタ８７が接続される。
【００４９】
以上に示した放火信号出力回路５は、下皿排出通路２３に放火が行われ、アルミナボルト１５が熱せられて、１００度に達すると、出力接点８３が「オフ」から「オン」になるように設計される。これにより、下皿排出通路２３への放火が行われたことを示す電気特性変化信号としての放火信号ＨＳが出力コネクタ８５、及び接続コネクタ８７を介して、ホールコンピュータ８９に出力される。
【００５０】
これにより、パチンコ機１が放火されたことを、放火されて直ぐに図４の（Ａ）に示すホールコンピュータ８９で知ることが出来、ホール内の画像をビデオカメラ９１で記憶する装置９３に、放火信号ＨＳを出力したパチンコ機１の近傍の画像を記憶させたり、ホールスタッフの受令機９５に送信機９７で連絡して、パチンコ機１の場所に確認に行くことを指示することが可能になる。従って、放火犯の逮捕や特定を可能にすることで、放火の予防を行うことが可能になると言う極めて優れた効果を奏する。
【００５１】
次に他の実施の態様を説明する。
図６は、排出通路１０３の構成を説明するものであって、（Ａ）は、排出通路１０３の一部分を破断した破断面の端面図を示し、（Ｂ）は、栓としてのボルト１５７の断面図を示し、（Ｃ）は、ボルト１５７の平面図を示す。排出通路１０３は、既述した排出通路３とほぼ同様の構造を有するものであって、上皿排出通路２１、下皿排出通路２３および溢流通路３５に用いられる構造であって、通路形状を構成する構成部１３７と、耐火機能を発揮する耐火部１３９とから構成されている。
【００５２】
構成部１３７と耐火部１３９とは、図６の（Ａ）に示すように、耐火部１３９と構成部１３７とが貼り付けられた構造を有する。
耐火部１３９は、コージライトセラミックスを所定の形状に形成した耐火層１４５と、この耐火層１４５の賞品球１７に触れる側に耐衝撃性を付与するためにアルミナ（Ａｌ2Ｏ3）を溶射して形成した磁器皮膜層１４７とから構成されている。
【００５３】
又、磁器皮膜層１４７には、受熱部１４９が形成されている。受熱部１４９は、熱伝導率が高く、かつ耐衝撃性が高い材料で形成された磁器皮膜層１４７と同一の材料で、一体的に形成されたもので、球状突起１５１と、円柱部１５３とから構成されている。従って、受熱部１４９の近傍で炎が発生すると、球状突起１５１がその熱を受けて加熱され、円柱部１５３の近傍の磁器皮膜層１４７にその熱を伝えて、加熱する。
【００５４】
構成部１３７は、プラスチックスを所定の通路形状に成型した成型品である。
この耐火部１３９により、下皿１３の奥の下皿排出通路２３に放火されたとしても、放火による熱が耐火部１３９によって断熱され、プラスチック製の構成部１３７まで達することが防止される。
【００５５】
この耐火部１３９には、図６の（Ａ）に示すように、構成部１３７側から取付孔１５５が形成されている。取付孔１５５の近傍の構成部１３７は、取付孔１５５から所定の離間距離ＲＬだけ開口され、取付開口部１５９を形成している。
取付孔１５５には、図６の（Ｂ）、（Ｃ）に示すボルト１５７が螺合される。ボルト１５７は、ボルト軸部１６１と、６角のボルト頭１６３とから構成され、ボルト頭１６３からボルト軸部１６１に、ボルト軸部１６１の軸と並行に、図６の（Ｂ）、（Ｃ）に示すような溝１６５が形成されている。ボルト１５７の材質は、所定の硬度を有するものであれば、どのようなものであっても良い。
【００５６】
ボルト１５７の溝１６５には、図６の（Ｂ）に示すような電極部材としての電極１７１が据え付けられる。電極１７１は、既述した電極６１と同様に、インコネル７１８、７５０製（インコ社商品名）であって、先端に、バネ接点部１７３が形成され、基端に端子部１７５が形成されている。バネ接点部１７３は、図６の（Ｂ）に示すように、ボルト１５７の先端１７７側に弓形に折り曲げた形状で、ボルト１５７を取付孔１５５に螺合した場合に、バネ接点部１７３が取付孔１５５の底１７９の耐火部１３９に所定の力で付勢される。
【００５７】
端子部１７５は、外部の導線１８１とのかしめ接続用の端子形状に形成されている。
これらのバネ接点部１７３と、端子部１７５と有する電極１７１は、端子部１７５を除いた部分が熱処理される。熱処理されることで、硬化したバネ接点部１７３は、下皿排出通路２３に放火され受熱部１４９が高温になってバネ接点部１７３が加熱されても付勢力を保持する。
【００５８】
ボルト１５７の溝１６５に電極１７１を取り付けて後、ボルト１５７を取付孔１５５に螺合することで、電極１７１を耐火部１３９に取り付ける工程が完了する。
電極１７１は、導線１８１によって、図４の（Ｂ）に示すように放火信号出力回路５のローパスフィルタ７７に接続される。放火信号出力回路５は、電極１７１と、パチンコ機１の接地回路間の抵抗値を検出して、パチンコ機１の排出通路１０３に放火が行われたことを検出して、放火信号ＨＳを出力する。
【００５９】
なお、図４の（Ｃ）に示すようにボルト１５７を２箇所に設置して、２箇所の電極１７１間の抵抗値の変化から放火を検出して、放火信号ＨＳを出力するようにしても良い。
【図面の簡単な説明】
【図１】  遊技機としてのパチンコ機１の排出通路３の一部分を破断した端面の端面図である。
【図２】  パチンコ機１の正面図である。
【図３】  排出通路３の構造の説明図である。
【図４】  電気特性検出手段としての放火信号出力回路５のブロック図である。
【図５】  排出通路３の動作の説明図であるである。
【図６】  排出通路１０３の構成を説明するものであって、（Ａ）は、排出通路１０３の一部分を破断した破断面の端面図を示し、（Ｂ）は、栓としてのボルト１５７の断面図を示し、（Ｃ）は、ボルト１５７の平面図である。
【符号の説明】
１…パチンコ機、３…排出通路、５…放火信号出力回路、７…遊技盤、
９…賞球払出機構、１１…上皿、１３…下皿、１５…アルミナボルト、
１７…賞品球、２１…上皿排出通路、２３…下皿排出通路、３３…溢流口、
３５…溢流通路、３７…構成部、３９…耐火部、
４５…耐火層、４７…磁器皮膜層、４９…取付孔、５１…溝、５３…溝、
５５…ボルト軸部、５７…ボルト円筒部、５９…螺子、６１…電極、
６３…電極、６５…バネ接点部、６７…端子部、６９…接点、
７１…スプリングワッシャ、７３…ナット、７５…導線、
７７…ローパスフィルタ、７９…抵抗検出回路、８１…波形整形、
８３…出力接点、８５…出力コネクタ、８７…接続コネクタ、
１０３…排出通路、１３７…構成部、１３９…耐火部、１４５…耐火層、
１４７…磁器皮膜層、１４９…受熱部、１５１…球状突起、１５３…円柱部、
１５５…取付孔、１５７…ボルト、１５９…取付開口部、１６１…ボルト軸部、
１６３…ボルト頭、１６５…溝、１７１…電極、１７３…バネ接点部、
１７５…端子部、１７９…底、１８１…導線、ＨＳ…放火信号、
ＩＤ…内径、ＯＤ…外形、ＲＬ…離間距離
【図１】
0004479029.tif 000002
【図２】
0004479029.tif 000003
【図３】
0004479029.tif 000004
【図４】
0004479029.tif 000005
【図５】
0004479029.tif 000006
【図６】
0004479029.tif 000007